(57)【要約】【課題】  簡単な構成で複数の記録ディスクを装着可能な携帯型ＣＤ再生装置を提供する。【解決手段】  携帯型ＣＤ再生装置１００は、再生ＣＤ１０Ａを、この再生ＣＤ１０Ａの情報記録面を支持するディスクテーブル２７１、および、再生ＣＤ１０Ａの非記録ホール周縁に当接するように設けられた再生ＣＤ係止部材で保持する。また、携帯型ＣＤ再生装置１００は、再生ＣＤ１０Ａに接触した状態で積層された予備ＣＤ１０Ｂを、この予備ＣＤ１０Ｂの非記録ホール周縁に当接するように設けられた予備ＣＤ係止部材、および、再生ＣＤ１０Ａを介してディスクテーブル２７１で保持する。【選択図】  図３
2005149629.tif 000002
【特許請求の範囲】
【請求項１】
記録ディスクの孔部に挿通されるディスク挿通部と、
前記ディスク挿通部を前記記録ディスクの周方向に回転させるディスク駆動部と、
前記ディスク挿通部に設けられ、前記記録ディスクを保持するディスク保持部と、を備え、
前記ディスク保持部は、複数枚の前記記録ディスクを互いに積層した状態で保持する
ことを特徴とするディスク装置。
【請求項２】
請求項１に記載のディスク装置であって、
前記ディスク駆動部は、前記ディスク保持部が複数枚の記録ディスクを保持した状態で、前記ディスク挿通部を回転させる
ことを特徴とするディスク装置。
【請求項３】
請求項１または請求項２に記載のディスク装置であって、
前記ディスク保持部は、前記複数枚の記録ディスクを互いに接触させた状態で保持する
ことを特徴とするディスク装置。
【請求項４】
請求項１ないし請求項３のいずれかに記載のディスク装置であって、
前記ディスク保持部は、前記複数枚の記録ディスクが積層される方向に複数設けられた
ことを特徴とするディスク装置。
【請求項５】
請求項１ないし請求項４のいずれかに記載のディスク装置であって、
前記ディスク保持部は、前記記録ディスクに接触可能に設けられた接触部材と、この接触部材を前記記録ディスクに接触させる方向に付勢する付勢部材と、を備えた
ことを特徴とするディスク装置。
【請求項６】
請求項１ないし請求項５のいずれかに記載のディスク装置であって、
記録ディスクに記録された情報を読取る読取手段を更に備え、
前記ディスク保持部に保持された複数枚の記録ディスクのうちの少なくとも一つの記録ディスクに記録された情報が前記読取手段により読取られる
ことを特徴とするディスク装置。
【請求項７】
記録ディスクの孔部に挿通されるとともに、複数枚の前記記録ディスクを積層保持可能なディスク挿通部と、
前記ディスク挿通部を前記記録ディスクの周方向に回転させるディスク駆動部と、
を具備し、
前記ディスク挿通部は、
前記一の記録ディスクの孔部に挿通された状態で前記一の記録ディスクの孔部周縁に当接するとともに、前記一の記録ディスクの孔部周縁に当接した状態で他の記録ディスクの孔部周縁に当接する複数の当接部材を備えた
ことを特徴とするディスク装置。
【請求項８】
請求項７に記載のディスク装置であって、
前記当接部材は、前記記録ディスクが積層される方向に複数設けられた
ことを特徴とするディスク装置。
【請求項９】
請求項７または請求項８に記載のディスク装置であって、
前記当接部材は、前記ディスク挿通部における前記記録ディスクの前記孔部に対向する部分から進退可能に設けられ前記記録ディスクに接触する接触部材と、この接触部材を前記孔部に対向する部分から突出する方向に付勢する付勢部材と、を備えた
ことを特徴とするディスク装置。
【請求項１０】
請求項５または請求項９に記載のディスク装置であって、
前記接触部材は、前記ディスク挿通部の回転軸と略直交する方向に移動可能に、かつ、これらを結ぶ仮想線と前記回転軸とが略平行とならない状態に設けられている
ことを特徴とするディスク装置。
【請求項１１】
記録ディスクの孔部に挿通されるとともに、複数枚の記録ディスクを積層保持可能とすべく前記記録ディスクの孔部周縁に当接する当接部材を複数設けたディスク挿通部と、前記ディスク挿通部を前記記録ディスクの周方向に回転させるディスク駆動部と、前記複数枚の記録ディスクのうち少なくとも一つの記録ディスクに記録された情報を読取る読取手段とを備えたディスク装置へ前記複数枚の記録ディスクを装着する記録ディスクの装着方法であって、
複数枚の記録ディスクのうちの前記読取手段に情報を読取らせる記録ディスクの孔部をディスク挿通部に挿通させて、その記録ディスクの孔部周縁に一の当接部材を当接させることにより前記記録ディスクを保持し、
前記読取手段に情報を読取らせない他の記録ディスクの孔部を前記ディスク挿通部に挿通させて、その他の記録ディスクの孔部周縁に前記一の当接部材及び他の当接部材を当接させることにより前記読取り対象となる記録ディスクに対して積層保持する
ことを特徴とする記録ディスクの装着方法。
【発明の詳細な説明】
【技術分野】
【０００１】
本発明は、複数の記録ディスクを装着可能なディスク装置、および、記録ディスクの装着方法に関する。
【背景技術】
【０００２】
従来、いかなる場所や時間においても、ＣＤ（Compact Disc）に記録された音楽の聴取を楽しみたい利用者の要求に応えるための構成として、携行して使用可能な携帯型ディスク装置が知られている。このような携帯型ディスク装置において、例えば外出先にて複数のＣＤに記録された音楽の聴取を楽しみたい場合、携帯型ディスク装置にて再生されているＣＤ以外の予備のＣＤを例えばディスク収納ケースに収納して携行する必要がある。なお、以下において、携帯型ディスク装置にて再生されているＣＤを再生ＣＤと、この再生ＣＤ以外の予備のＣＤを予備ＣＤと適宜称して説明する。
【０００３】
一方で、再生ＣＤに加え、予備ＣＤを装着可能な携帯型ディスク装置が知られている（例えば、特許文献１，２参照）。
【０００４】
特許文献１の携帯型ディスク装置は、ＣＤを再生するための部材などが設けられた本体と、この本体の底部に一体的に形成された予備ＣＤ収納部と、などを備えている。そして、この予備ＣＤ収納部は、予備ＣＤを収納する収納部本体と、この収納部本体と外部とを連通する挿入口と、収納部本体に収納された予備ＣＤを保持するための保持部材と、などを備えている。この携帯型ディスク装置において、予備ＣＤを装着する際には、まず、予備ＣＤを予備ＣＤ収納部の挿入口から挿入して収納部本体に収納する。そして、この収納された予備ＣＤを保持部材にて保持させることにより、予備ＣＤの収納部本体からの脱落を防止する。これにより、予備ＣＤが携帯型ディスク装置に装着される。
【０００５】
また、特許文献２の携帯型ディスク装置は、ＣＤを再生するための部材などが設けられた本体と、この本体に対して開閉可能に設けられた蓋部と、などを備えている。そして、蓋部は、本体に配設された再生ＣＤと対向するように予備ＣＤを装着するための予備ＣＤ装着部材などを備えている。この携帯型ディスク装置において、予備ＣＤを装着する際には、蓋部を開いて予備ＣＤ装着部材に予備ＣＤを装着する。
【０００６】
【特許文献１】実開平５−５９６９２号公報（第２頁−第３頁）
【特許文献２】特開２０００−２０７８７９号公報（第３頁左欄−第４頁右欄）
【発明の開示】
【発明が解決しようとする課題】
【０００７】
しかしながら、特許文献１の携帯型ディスク装置は、予備ＣＤを収納するための専用の予備ＣＤ収納部を備えている。また、特許文献２の携帯型ディスク装置は、予備ＣＤを装着するための専用の予備ＣＤ装着部材を備えている。すなわち、特許文献１および特許文献２の携帯型ディスク装置は、いずれも予備ＣＤを収納したり装着したりするための専用の部材を備えている。このため、再生ＣＤを再生するための部材の他に、予備ＣＤを収納したり装着したりするための専用の部材を備える必要があるため、携帯型ディスク装置が大型化してしまうという問題が一例として挙げられる。また、携帯型ディスク装置を構成する部材数が大幅に増えてしまい、重量が増加してしまうという問題も一例として挙げられる。
【０００８】
本発明は、これらのような点に鑑みて、簡単な構成で複数の記録ディスクを装着可能なディスク装置、および、記録ディスクの装着方法を提供することを目的とする。
【課題を解決するための手段】
【０００９】
請求項１に記載の発明は、記録ディスクの孔部に挿通されるディスク挿通部と、前記ディスク挿通部を前記記録ディスクの周方向に回転させるディスク駆動部と、前記ディスク挿通部に設けられ、前記記録ディスクを保持するディスク保持部と、を備え、前記ディスク保持部は、複数枚の前記記録ディスクを互いに積層した状態で保持することを特徴とするディスク装置である。
【００１０】
請求項７に記載の発明は、記録ディスクの孔部に挿通されるとともに、複数枚の前記記録ディスクを積層保持可能なディスク挿通部と、前記ディスク挿通部を前記記録ディスクの周方向に回転させるディスク駆動部と、を具備し、前記ディスク挿通部は、前記一の記録ディスクの孔部に挿通された状態で前記一の記録ディスクの孔部周縁に当接するとともに、前記一の記録ディスクの孔部周縁に当接した状態で他の記録ディスクの孔部周縁に当接する複数の当接部材を備えたことを特徴とするディスク装置である。
【００１１】
請求項１１に記載の発明は、記録ディスクの孔部に挿通されるとともに、複数枚の記録ディスクを積層保持可能とすべく前記記録ディスクの孔部周縁に当接する当接部材を複数設けたディスク挿通部と、前記ディスク挿通部を前記記録ディスクの周方向に回転させるディスク駆動部と、前記複数枚の記録ディスクのうち少なくとも一つの記録ディスクに記録された情報を読取る読取手段とを備えたディスク装置へ前記複数枚の記録ディスクを装着する記録ディスクの装着方法であって、複数枚の記録ディスクのうちの前記読取手段に情報を読取らせる記録ディスクの孔部をディスク挿通部に挿通させて、その記録ディスクの孔部周縁に一の当接部材を当接させることにより前記記録ディスクを保持し、前記読取手段に情報を読取らせない他の記録ディスクの孔部を前記ディスク挿通部に挿通させて、その他の記録ディスクの孔部周縁に前記一の当接部材及び他の当接部材を当接させることにより前記読取り対象となる記録ディスクに対して積層保持することを特徴とする記録ディスクの装着方法である。
【発明を実施するための最良の形態】
【００１２】
以下に、本発明の一実施の形態を図面に基づいて説明する。なお、本実施の形態では、ＣＤ（Compact Disc）に記録された音楽を再生する携帯型ＣＤ再生装置を例示して説明するが、これに限られない。
【００１３】
〔ＣＤの構成〕
まず、本実施の形態の携帯型ＣＤ再生装置にて再生されるＣＤの構成について、図面に基づいて説明する。図１は、ＣＤの概略構成を示す平面図である。図２は、ＣＤの概略構成を示す断面図である。
【００１４】
図１において、１０は記録ディスクとしてのＣＤである。なお、ここでは、記録ディスクとしてＣＤを例示して説明するが、これに限らずＤＶＤ（Digital Versatile Disc）などの他の光ディスク、光磁気ディスク、磁気ディスクなど、さらには、追記型や書換型などいずれの記録ディスクを対象とすることができる。このＣＤ１０は、略中央に孔部としてのセンタホール１１を有した円板状に形成されており、図２に示すように、その一方側の面が各種情報が記録された情報記録面１２とされ、他方側の面が情報が記録されていない非記録面１３とされている。ここで、ＣＤ１０の直径は１２０ｍｍと、ＣＤ１０の厚さ寸法は１．２ｍｍと、センタホール１１の直径は１５ｍｍと、ＩＳＯ（International Organization For Standardization）／ＩＥＣ（International Electrotechnical Commission）  １０１４９にそれぞれ規定されている。なお、以下において、ＣＤ１０の厚さ寸法をＣＤ厚さＳと、センタホール１１の直径をホール直径Ｔと適宜称して説明する。また、情報記録面１２に連続するセンタホール１１の周縁を記録ホール周縁１１Ａと、非記録面１３に連続するセンタホール１１の周縁を非記録ホール周縁１１Ｂと適宜称して説明する。
【００１５】
情報記録面１２には、スタックリブ１２Ａと、ボリューム空間１２Ｂと、などが設けられている。スタックリブ１２Ａは、情報記録面１２の傷つき防止のために一般的なＣＤに設けられているものである。このスタックリブ１２Ａは、ＣＤ１０の略中央に直径Ｕの円を描くように、かつ、情報記録面１２の表面から突出するような断面凸形状に形成されている。ここで、図２はスタックリブ１２Ａを説明するための模式図であり、スタックリブ１２Ａの実際の高さ寸法は、ＣＤ厚さＳよりも十分小さい値とされている。なお、以下において、スタックリブ１２Ａの高さ寸法を、リブ高さＶと適宜称して説明する。ボリューム空間１２Ｂは、スタックリブ１２Ａの外周側に設けられている。このボリューム空間１２Ｂには、例えば音楽を音声として出力するためのデータとしての音声データなどが記録されている。なお、ここでは、ボリューム空間１２Ｂに音声データなどが記録されている構成を例示して説明するが、ボリューム空間１２Ｂに音声データなどが記録されていなくてもよい。
【００１６】
〔携帯型ＣＤ再生装置の構成〕
次に、携帯型ＣＤ再生装置の構成について、図面に基づいて説明する。図３は、本実施の形態に係る携帯型ＣＤ再生装置の概略構成を示す模式図である。図４は、駆動部収納室内の概略構成を示す模式図である。図５は、ディスクホルダの概略構成を示す断面図である。図６は、ディスクホルダの概略構成を示す平面透視図である。
【００１７】
図３において、１００はディスク装置としての携帯型ＣＤ再生装置である。この携帯型ＣＤ再生装置１００は、ＣＤ１０に記録された音楽を再生する。また、この携帯型ＣＤ再生装置１００は、再生用のＣＤ１０の他に１枚のＣＤ１０を装着可能な装置である。なお、以下において、再生用のＣＤ１０を、一の記録ディスクとしての再生ＣＤ１０Ａと、この再生ＣＤ１０Ａ以外のＣＤ１０を、他の記録ディスクとしての予備ＣＤ１０Ｂと適宜称して説明する。そして、携帯型ＣＤ再生装置１００は、本体２００と、蓋部３００と、を備えている。
【００１８】
本体２００は、略薄型箱形状に形成されたケース体２０１を有している。このケース体２０１は、上面に図示しない開口部が開口形成された略薄型箱形状の下部ケース体２０２と、下面に図示しない開口部が開口形成された略薄型箱形状を有し下部ケース体２０２の開口部を閉塞する上部ケース体２０３と、を備えている。
【００１９】
下部ケース体２０２は、例えばアルミニウム合金やプラスチックなどの材料により形成されている。この下部ケース体２０２は、その一縁側が略円弧状に形成され、平面視で略Ｄ字状に形成されている。
【００２０】
上部ケース体２０３は、例えばプラスチックなどにより形成されている。この上部ケース体２０３は、その一縁側が下部ケース体２０２の一端側と略同一の円弧状に形成され、平面視で略Ｄ字状に形成されている。また、上部ケース体２０３の他縁側の上面には、一縁側の上面よりも上方に突出する状態で操作部材配設部２０３Ａが設けられている。そして、上部ケース体２０３の一縁側の上面における平面方向の略中央には、略円形状のディスクテーブル露出孔２０３Ｂが形成されている。また、上部ケース体２０３の一縁側の上面におけるディスクテーブル露出孔２０３Ｂから周縁近傍にわたる部分には、略矩形状のピックアップ露出孔２０３Ｃが形成されている。そして、操作部材配設部２０３Ａが下部ケース体２０２の他端側に位置するように上部ケース体２０３を取り付けることにより、ケース体２０１が組立形成される。このケース体２０１の内部には、操作部材配設部２０３Ａに対応する上下方向の高さ寸法が大きい位置に制御部収納室２０１Ａが区画形成され、上下方向の高さ寸法が小さい位置に駆動部収納室２０１Ｂが区画形成されている。
【００２１】
制御部収納室２０１Ａ内には、３つの操作つまみ２１０と、表示部２２０と、音声出力端子２３０と、図示しない処理部と、などが収納されている。
【００２２】
操作つまみ２１０は、操作部材配設部２０３Ａの隅部近傍において外部に臨む状態に配設されている。この操作つまみ２１０は、携帯型ＣＤ再生装置１００の動作内容の設定入力に用いられる。この操作つまみ２１０により設定入力される動作内容としては、再生ＣＤ１０Ａの再生開始、再生停止、楽曲のスキップ再生、蓋部３００を開く動作などの各種動作が例示できる。そして、操作つまみ２１０は、動作内容の入力操作により、所定の処理信号を処理部へ適宜出力する。
【００２３】
表示部２２０は、例えば液晶パネルなどにより構成されている。この表示部２２０は、その表示面が操作部材配設部２０３Ａにおける略中央から外部に臨む状態に配設されている。そして、表示部２２０は、処理部からの表示用データに基づいて、携帯型ＣＤ再生装置１００の動作内容、再生されている楽曲の名前や再生時間などを適宜表示する。なお、表示部２２０としては、液晶パネルに限られず、例えば有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどいずれの表示装置が適用できる。
【００２４】
音声出力端子２３０は、図示しない例えばイヤフォンのプラグが挿入されるジャックである。この音声出力端子２３０は、ケース体２０１の他縁側の面から外部に臨む状態に配設されている。そして、音声出力端子２３０は、処理部からの音声信号をプラグを介してイヤフォンへ出力する。
【００２５】
処理部は、携帯型ＣＤ再生装置１００の動作を制御する。具体的には、処理部は、操作つまみ２１０からの処理信号に基づいて、この処理信号を動作信号に変換する。そして、この動作信号を後述するモータ２６０やピックアップ部２５０などへ出力する。また、処理部は、操作つまみ２１０からの処理信号に基づいて、この処理信号を表示用データに変換する。そして、この表示用データを表示部２２０へ出力する。さらに、処理部は、ピックアップ部２５０からの音声データに基づいて、この音声データを音声信号に変換する。そして、この音声信号を後述する音声出力端子２３０へ出力する。
【００２６】
駆動部収納室２０１Ｂ内には、駆動部収納室２０１Ｂの平面方向の略中央に配設された回転駆動部２４０と、駆動部収納室２０１Ｂの平面方向の略中央から上部ケース体２０３のピックアップ露出孔２０３Ｃの長手方向に沿って進退可能に配設された読取手段としてのピックアップ部２５０と、などが収納されている。
【００２７】
回転駆動部２４０は、各ＣＤ１０Ａ，１０Ｂを保持して、その円周方向に回転させるものである。そして、回転駆動部２４０は、図４に示すように、ディスク駆動部としてのモータ２６０と、ディスク装着部２７０と、などを備えている。
【００２８】
モータ２６０は、モータ本体２６１と、このモータ本体２６１の一面から突出するように設けられモータ本体２６１の駆動により回転するモータ軸２６２と、を備えている。モータ本体２６１は、駆動部収納室２０１Ｂの平面方向の略中央に、かつ、モータ軸２６２の軸方向が平面方向と直交するように配設されている。そして、モータ本体２６１は、処理部からの動作信号に基づいて、モータ軸２６２を適宜回転させる。
【００２９】
ディスク装着部２７０は、略円板状に形成されたディスク保持部としても機能するディスクテーブル２７１と、このディスクテーブル２７１の上面の略中央から突出するように設けられ短尺の略円柱状に形成されたディスク挿通部としてのディスクホルダ部２７２と、などを備えている。なお、ここでは、ディスクテーブル２７１が略円板状に形成された構成について例示するが、これに限らず例えば略多角板状や、略十字板状など適宜他の形状としてもよい。また、ディスクホルダ部２７２が略円柱状に形成された構成について例示するが、これに限らず例えば略多角柱状や略筒状など適宜他の形状としてもよい。さらに、ここでは、ディスクテーブル２７１およびディスクホルダ部２７２を別体で設けた構成について例示するが、これに限らずこれらを一体成形した構成としてもよい。
【００３０】
ディスクテーブル２７１は、例えばプラスチックやゴムなどの材料により形成されている。このディスクテーブル２７１の平面方向の中央には、モータ軸２６２の先端が嵌挿される図示しない嵌挿部が形成されている。そして、ディスクテーブル２７１は、再生ＣＤ１０Ａに形成されたスタックリブ１２Ａの直径Ｕよりも大きい径寸法であり、かつ、上部ケース体２０３のディスクテーブル露出孔２０３Ｂの直径よりも小さい径寸法の略円板状に形成されている。また、ディスクテーブル２７１は、その上面が上部ケース体２０３のディスクテーブル露出孔２０３Ｂから外部に臨む状態に、かつ、その上面が上部ケース体２０３の一縁側の上面と略同一平面となるように配設されている。なお、本実施の形態ではディスクテーブル２７１の直径がスタックリブ１２Ａの直径より大きい寸法であるものとして説明するが、これに限ることなく、例えば、ディスクテーブル２７１の直径がスタックリブ１２Ａの直径より小さい寸法であってもよい。この場合では、ディスクテーブル２７１の上面がディスクテーブル露出孔２０３Ｂから外部に臨む状態に、かつ、ディスクテーブル２７１の上面が上部ケース体２０３の一縁側の上面よりも突出するように配設される。
【００３１】
ディスクホルダ部２７２は、例えばプラスチックなどの材料により形成されている。ディスクホルダ部２７２は、その軸Ｃ１がモータ軸２６２の軸と略同一になるように結合されている。また、このディスクホルダ部２７２は、図５に示すように、各ＣＤ１０Ａ，１０Ｂのホール直径Ｔよりも小さい径寸法のホルダ直径Ｗを有する短尺の略円柱状に形成されている。なお、以下において、ディスクホルダ部２７２に例えば再生ＣＤ１０Ａが装着された際の、再生ＣＤ１０Ａとディスクホルダ部２７２との距離を隙間距離ｈと適宜称して説明する。そして、ディスクホルダ部２７２には、図６に示すように、このディスクホルダ部２７２の略円柱状の径方向に沿った軸Ｃ２を有し略円筒状に形成された３つの係止部材保持部２７２Ａと、略円柱状の径方向に沿った軸Ｃ３を有し係止部材保持部２７２Ａと略同一に形成された３つの係止部材保持部２７２Ｂと、が設けられている。なお、以下において、係止部材保持部２７２Ａについて詳細に説明し、略同一構成の係止部材保持部２７２Ｂについては説明を簡略化する。
【００３２】
係止部材保持部２７２Ａは、図５に示すように、ＣＤ厚さＳよりも大きい径寸法を有する略円筒状に、かつ、その軸Ｃ２が軸Ｃ１と略直交するように形成されている。なお、ここでは、係止部材保持部２７２ＡがＣＤ厚さＳよりも大きい径寸法を有する構成について例示するが、これに限らずＣＤ厚さＳと略同一の径寸法やＣＤ厚さＳよりも小さい径寸法を有する構成としてもよい。係止部材保持部２７２Ａは、図６に示すように、ディスクホルダ部２７２の略円柱状の円周方向に略同一間隔に、すなわち、ディスクホルダ部２７２の円周面に平面視で約１２０°間隔に形成されている。さらに、係止部材保持部２７２Ａは、図５に示すように、軸Ｃ２とディスクテーブル２７１との間隔ｉが、（３／２×（ＣＤ厚さＳ）＋２×（リブ高さＶ））となる位置に形成されている。すなわち、係止部材保持部２７２Ａは、軸Ｃ２がディスク装着部２７０に配設された予備ＣＤ１０Ｂの厚さ方向略中央に位置するように形成されている。なお、ここでは、係止部材保持部２７２Ａを上述したような高さ位置となるように形成した構成について例示したが、これに限られない。
【００３３】
また、係止部材保持部２７２Ａの円周面近傍には、脱落防止部２７２Ａ１が形成されている。この脱落防止部２７２Ａ１は、略球状に形成された後述する再生ＣＤ係止部材２７３の直径よりも小さい径寸法に、かつ、この脱落防止部２７２Ａ１に再生ＣＤ係止部材２７３が当接された際に再生ＣＤ係止部材２７３の一部が円周面から隙間距離ｈよりも大きい距離だけ突出するように形成されている。なお、以下において、再生ＣＤ係止部材２７３の円周面から突出された部分を、突出部２７３Ａと適宜称して説明する。また、突出部２７３Ａの円周面に対する頂点、すなわち、突出部２７３Ａと軸Ｃ２との交点を、頂点Ｐと適宜称して説明する。さらに、突出部２７３Ａにおける頂点Ｐよりも上側の面を上側面２７３Ａ１と、頂点Ｐよりも下側の面を下側面２７３Ａ２と、適宜称して説明する。この脱落防止部２７２Ａ１における再生ＣＤ係止部材２７３が当接される部分の形状は、再生ＣＤ係止部材２７３の外形状と略同一の円弧状に形成されている。なお、ここでは、脱落防止部２７２Ａ１が再生ＣＤ係止部材２７３の外形状と略同一の円弧状に形成された構成について例示したが、これに限らず適宜他の形状としてもよい。
【００３４】
そして、係止部材保持部２７２Ａの円周面側には、ディスク保持部および当接部材としても機能する接触部材としての再生ＣＤ係止部材２７３が軸Ｃ２方向に移動可能に配設されている。また、係止部材保持部２７２Ａの軸Ｃ１側には、再生ＣＤ係止部材２７３を円周面から突出する方向に付勢するディスク保持部および当接部材としても機能する付勢部材としての再生ＣＤ付勢部材２７４がそれぞれ配設されている。
【００３５】
再生ＣＤ係止部材２７３は、例えば金属やプラスチックなどの材料により、係止部材保持部２７２Ａの直径と略同一の径寸法を有する略球状に形成されている。また、再生ＣＤ係止部材２７３は、表面が鏡面加工、あるいは、摩擦係数の小さい材料にて形成されている。なお、ここでは、再生ＣＤ係止部材２７３が略球状に形成された構成について例示するが、これに限らず例えば楕円球状、半円球状、カム型形状など適宜他の形状としてもよい。さらに、再生ＣＤ係止部材２７３が鏡面加工された材料、あるいは、摩擦係数が小さい材料にて形成された構成について例示したが、これに限らず、再生ＣＤ係止部材２７３の表面に対して各ＣＤ１０Ａ，１０Ｂのセンタホール１１の周縁が良好な滑動性を示すいずれの構成とすることができる。
【００３６】
再生ＣＤ付勢部材２７４は、係止部材保持部２７２Ａの直径と略同一の径寸法を有する略円筒状に形成されたコイルばねである。この再生ＣＤ付勢部材２７４は、上述したように、再生ＣＤ係止部材２７３を円周面から突出する方向に付勢する。なお、ここでは、再生ＣＤ付勢部材２７４としてコイルばねを用いた構成について例示するが、これに限らず例えば板ばねなど、再生ＣＤ係止部材２７３を円周面から突出する方向に付勢するいずれの付勢手段を用いてもよい。
【００３７】
係止部材保持部２７２Ｂは、図５に示すように、その軸Ｃ３が軸Ｃ１と略直交するように形成されている。また、係止部材保持部２７２Ｂは、図６に示すように、ディスクホルダ部２７２の略円柱状の円周方向に略同一間隔に、すなわち、ディスクホルダ部２７２の円周面に平面視で約１２０°間隔に形成されている。さらに、係止部材保持部２７２Ｂは、平面視における係止部材保持部２７２Ａとの間隔が約６０°となるように形成されている。すなわち、係止部材保持部２７２Ｂは、図５に示すように、この係止部材保持部２７２Ｂに配設される後述する再生ＣＤ係止部材２７５と、係止部材保持部２７２Ａに配設された再生ＣＤ係止部材２７３と、を結ぶ仮想線Ｌが、ディスクホルダ部２７２の軸Ｃ１と略平行とならないように形成されている。また、係止部材保持部２７２Ｂは、軸Ｃ３とディスクテーブル２７１との間隔ｊが、（５／２×（ＣＤ厚さＳ）＋３×（リブ高さＶ））となる位置に形成されている。すなわち、係止部材保持部２７２Ｂは、係止部材保持部２７２Ａよりも上側に形成されている。なお、ここでは、係止部材保持部２７２Ｂを上述したような高さ位置となるように形成した構成について例示したが、係止部材保持部２７２Ａよりも上側の位置であればこれに限られない。
【００３８】
また、係止部材保持部２７２Ｂの円周面近傍には、脱落防止部２７２Ａ１と略同一の構成を有する脱落防止部２７２Ｂ１が形成されている。すなわち、脱落防止部２７２Ｂ１は、この脱落防止部２７２Ｂ１に略球状に形成された予備ＣＤ係止部材２７５が当接された際に予備ＣＤ係止部材２７５の一部が円周面から隙間距離ｈよりも大きい距離だけ突出するように形成されている。なお、以下において、予備ＣＤ係止部材２７５の円周面から突出された部分を、突出部２７５Ａと適宜称して説明する。また、突出部２７５Ａの円周面に対する頂点、すなわち、突出部２７５Ａと軸Ｃ３との交点を、頂点Ｑと適宜称して説明する。さらに、突出部２７５Ａにおける頂点Ｑよりも上側の面を上側面２７５Ａ１と、頂点Ｑよりも下側の面を下側面２７５Ａ２と、適宜称して説明する。
【００３９】
そして、係止部材保持部２７２Ｂの円周面側には、ディスク保持部および当接部材としても機能する接触部材としての予備ＣＤ係止部材２７５が軸Ｃ３方向に移動可能に配設されている。また、係止部材保持部２７２Ｂの軸Ｃ１側には、予備ＣＤ係止部材２７５を円周面から突出する方向に付勢するディスク保持部および当接部材としても機能する付勢部材としての予備ＣＤ付勢部材２７６が配設されている。なお、予備ＣＤ係止部材２７５は、再生ＣＤ係止部材２７３と略同一の構成を有し、予備ＣＤ付勢部材２７６は、再生ＣＤ付勢部材２７４と略同一の構成を有しているので、ここではそれらの説明を省略する。
【００４０】
なお、係止部材保持部２７２Ａ，２７２Ｂの構成は上述したものに限られず、適宜他の構成としてもよい。すなわち、例えば係止部材保持部２７２Ａ，２７２Ｂの数を他の数に変更したり、それぞれの間隔を上述した間隔とは異なるものに変更してもよい。ただし、ディスクテーブル２７１およびディスクホルダ部２７２にて、各ＣＤ１０Ａ，１０Ｂをモータ軸２６２に対して垂直度を保った状態で保持するための最小限の構成としては、上述したように係止部材保持部２７２Ａ，２７２Ｂをそれぞれ３個ずつ形成し、かつ、これらをディスクホルダ部２７２の円周面の円周方向に略同一間隔に配設する構成が好ましい。
【００４１】
ピックアップ部２５０は、ピックアップ露出孔２０３Ｃから外部を臨む状態に配設されている。このピックアップ部２５０は、処理部からの動作信号に基づいて、ピックアップ露出孔２０３Ｃの長手方向、すなわち、再生ＣＤ１０Ａの径方向に適宜移動しながら、情報記録面１２のボリューム空間１２Ｂに記録された音声データを適宜読み取る。具体的には、図示しない光源から発せられるレーザー光をピックアップ露出孔２０３Ｃを介して、再生ＣＤ１０Ａのボリューム空間１２Ｂに照射し、このボリューム空間１２Ｂからの反射光に基づいて、再生ＣＤ１０Ａに記録された音声データなどを読み取る。そして、この読み取った音声データを処理部へ出力する。
【００４２】
蓋部３００は、例えばアルミニウム合金やプラスチックなどの材料により、図１に示すように、下面および他縁側の面が開口された略薄型箱形状に形成されている。この蓋部３００は、その一縁側がケース体２０１の一縁側の円弧状と略同一に形成され、平面視でケース体２０１の駆動部収納室２０１Ｂと略同一の略Ｄ字状に形成されている。また、この蓋部３００は、一縁側において、図示しないヒンジ部材により、ケース体２０１の一縁側に開閉可能に取り付けられ、ケース体２０１との空間領域にＣＤ収納空間２０１Ｃを区画形成する。そして、蓋部３００の他縁側がケース体２０１から離間する方向に移動されると、ＣＤ収納空間２０１Ｃが開放され各ＣＤ１０Ａ，１０Ｂの脱着が可能となり、ケース体２０１に接触するように移動されると、ＣＤ収納空間２０１Ｃが閉塞される。
【００４３】
〔携帯型ＣＤ再生装置の動作〕
次に、携帯型ＣＤ再生装置１００の動作について説明する。
【００４４】
［再生ＣＤの装着動作］
まず、携帯型ＣＤ再生装置１００への再生ＣＤ１０Ａの装着動作について説明する。携帯型ＣＤ再生装置１００にいずれのＣＤ１０も装着されていない状態において、再生ＣＤ係止部材２７３は、図６に示すように、再生ＣＤ付勢部材２７４により軸Ｃ１から離間する方向に付勢され、脱落防止部２７２Ａ１に当接する状態に、かつ、突出部２７３Ａが円周面から突出する状態に保持されている。また、予備ＣＤ係止部材２７５は、予備ＣＤ付勢部材２７６により軸Ｃ１から離間する方向に付勢され、脱落防止部２７２Ｂ１に当接する状態に、かつ、突出部２７５Ａが円周面から突出する状態に保持されている。なお、以下において、上述したような各ＣＤ係止部材２７３，２７５の状態を、初期状態と適宜称して説明する。
【００４５】
そして、再生ＣＤ１０Ａの情報記録面１２とディスクテーブル２７１とが対向するように、ディスクホルダ部２７２に再生ＣＤ１０Ａが嵌合されると、まず、再生ＣＤ１０Ａの記録ホール周縁１１Ａが予備ＣＤ係止部材２７５の上側面２７５Ａ１に接触する。
【００４６】
この状態から再生ＣＤ１０Ａがディスクテーブル２７１側に移動されると、予備ＣＤ係止部材２７５には前述した移動方向への力の分力が加わる。そして、この分力により、予備ＣＤ係止部材２７５は、予備ＣＤ付勢部材２７６が短くなる方向に付勢力に抗して移動する。この後、非記録ホール周縁１１Ｂが予備ＣＤ係止部材２７５の下側面２７５Ａ２に接触する状態まで再生ＣＤ１０Ａが移動されると、再生ＣＤ１０Ａの移動に伴い予備ＣＤ係止部材２７５に加わる分力が小さくなる。そして、予備ＣＤ係止部材２７５は、再生ＣＤ１０Ａの移動に伴い、予備ＣＤ付勢部材２７６の付勢力により予備ＣＤ付勢部材２７６が長くなる方向に移動し、再生ＣＤ１０Ａとの接触が解除されると初期状態に戻る。
【００４７】
また、非記録ホール周縁１１Ｂが予備ＣＤ係止部材２７５の下側面２７５Ａ２に接触する状態まで再生ＣＤ１０Ａが移動されると、再生ＣＤ１０Ａの記録ホール周縁１１Ａが、再生ＣＤ係止部材２７３の上側面２７３Ａ１にも接触する。この後、再生ＣＤ１０Ａが移動されると、予備ＣＤ係止部材２７５における作用と同様の作用により、再生ＣＤ係止部材２７３は、再生ＣＤ付勢部材２７４が短くなる方向に移動した後に再生ＣＤ付勢部材２７４が長くなる方向に移動する。そして、再生ＣＤ１０Ａは、非記録ホール周縁１１Ｂにて再生ＣＤ係止部材２７３の下側面２７３Ａ２に接触するとともに、スタックリブ１２Ａにてディスクテーブル２７１に接触する。また、このとき、再生ＣＤ係止部材２７３は、初期状態よりも再生ＣＤ付勢部材２７４が短くなる方向に配置されており、再生ＣＤ付勢部材２７４の付勢力の分力により、再生ＣＤ１０Ａをディスクテーブル２７１の方向に付勢している。このため、再生ＣＤ１０Ａは、再生ＣＤ係止部材２７３によりディスクテーブル２７１に押し付けられた状態で携帯型ＣＤ再生装置１００に装着される。これにより、携帯型ＣＤ再生装置１００は、モータ２６０にて再生ＣＤ１０Ａをディスク装着部２７０と一体的に回転させ、ピックアップ部２５０にて再生ＣＤ１０Ａに記録された音声データを読み取ることができる。なお、この状態において、上述したように、ディスクテーブル２７１は、その上面が本体２００の上面と略同一平面となるように配設されている。このため、再生ＣＤ１０Ａの情報記録面１２と本体２００との間にリブ高さＶと略同一寸法の隙間が設けられ、情報記録面１２の傷つきが防止される。
【００４８】
［予備ＣＤの装着動作］
次に、携帯型ＣＤ再生装置１００への予備ＣＤ１０Ｂの装着動作について説明する。携帯型ＣＤ再生装置１００に再生ＣＤ１０Ａが装着された状態で、予備ＣＤ１０Ｂの情報記録面１２とディスクテーブル２７１とが対向するように、ディスクホルダ部２７２に予備ＣＤ１０Ｂが嵌合されると、まず、予備ＣＤ１０Ｂの記録ホール周縁１１Ａが予備ＣＤ係止部材２７５の上側面２７５Ａ１に接触する。なお、ここでは、予備ＣＤ１０Ｂの情報記録面１２とディスクテーブル２７１とが対向するように予備ＣＤ１０Ｂを嵌合させる構成について例示したが、これに限らず、予備ＣＤ１０Ｂの非記録面１３とディスクテーブル２７１とが対向するように予備ＣＤ１０Ｂを嵌合させてもよい。ただし、詳しくは後述するが、予備ＣＤ１０Ｂの傷付きを防止する構成としては、ここで例示する構成が好ましい。
【００４９】
この状態から予備ＣＤ１０Ｂがディスクテーブル２７１側に移動されると、予備ＣＤ係止部材２７５は、再生ＣＤ１０Ａの装着時と同様の作用により、予備ＣＤ付勢部材２７６が短くなる方向に移動した後に、予備ＣＤ付勢部材２７６が長くなる方向に移動する。そして、予備ＣＤ１０Ｂの記録ホール周縁１１Ａは、再生ＣＤ係止部材２７３の上側面２７３Ａ１にも接触する。この後、予備ＣＤ１０Ｂが移動されると、再生ＣＤ係止部材２７３は、再生ＣＤ１０Ａの装着時と同様の作用により、再生ＣＤ付勢部材２７４が短くなる方向に移動する。そして、予備ＣＤ１０Ｂは、図５に示すように、非記録ホール周縁１１Ｂにて予備ＣＤ係止部材２７５の下側面２７５Ａ２に接触し、センタホール１１の内周面にて再生ＣＤ係止部材２７３の頂点Ｐに接触し、さらには、スタックリブ１２Ａにて再生ＣＤ１０Ａの非記録面１３に接触する。また、このとき、予備ＣＤ係止部材２７５は、初期状態よりも予備ＣＤ付勢部材２７６が短くなる方向に配置されており、予備ＣＤ付勢部材２７６の付勢力の分力により、予備ＣＤ１０Ｂをディスクテーブル２７１の方向に付勢している。このため、予備ＣＤ１０Ｂは、予備ＣＤ付勢部材２７６により再生ＣＤ１０Ａを介してディスクテーブル２７１に押し付けられた状態で携帯型ＣＤ再生装置１００に装着される。また、再生ＣＤ１０Ａは、予備ＣＤ１０Ｂを介して予備ＣＤ付勢部材２７６によりディスクテーブル２７１に押し付けられた状態で携帯型ＣＤ再生装置１００に装着される。これにより、携帯型ＣＤ再生装置１００は、モータ２６０にて各ＣＤ１０Ａ，１０Ｂをディスク装着部２７０と一体的に回転させ、ピックアップ部２５０にて再生ＣＤ１０Ａに記録された音声データを読み取ることができる。なお、この状態において、予備ＣＤ１０Ｂは、スタックリブ１２Ａを介して再生ＣＤ１０Ａに接触している。このため、予備ＣＤ１０Ｂの情報記録面１２と再生ＣＤ１０Ａとの間にリブ高さＶと略同一寸法の隙間が設けられ、情報記録面１２の傷つきが防止される。
【００５０】
上述したような実施の形態では、携帯型ＣＤ再生装置１００に、従来あるディスクテーブル２７１、再生ＣＤ係止部材２７３、再生ＣＤ付勢部材２７４、および、ディスクホルダ部２７２に加え、予備ＣＤ係止部材２７５および予備ＣＤ付勢部材２７６を設けている。再生ＣＤ係止部材２７３は、再生ＣＤ付勢部材２７４の付勢力の分力にて、ディスクホルダ部２７２に嵌合された再生ＣＤ１０Ａをディスクテーブル２７１の方向に付勢する。これにより、再生ＣＤ１０Ａは、再生ＣＤ係止部材２７３によりディスクテーブル２７１に押し付けられた状態で携帯型ＣＤ再生装置１００に装着される。そして、携帯型ＣＤ再生装置１００は、モータ２６０にて再生ＣＤ１０Ａをディスク装着部２７０と一体的に回転させ、ピックアップ部２５０にて再生ＣＤ１０Ａに記録された音声データを読み取る。また、予備ＣＤ係止部材２７５は、予備ＣＤ付勢部材２７６の付勢力の分力にて、ディスクホルダ部２７２に嵌合され再生ＣＤ１０Ａに接触した状態で積層された予備ＣＤ１０Ｂをディスクテーブル２７１の方向に付勢する。これにより、予備ＣＤ１０Ｂは、予備ＣＤ係止部材２７５により再生ＣＤ１０Ａを介してディスクテーブル２７１に押し付けられた状態で携帯型ＣＤ再生装置１００に装着される。また、再生ＣＤ１０Ａは、予備ＣＤ１０Ｂを介して予備ＣＤ付勢部材２７６によりディスクテーブル２７１に押し付けられた状態で携帯型ＣＤ再生装置１００に装着される。そして、携帯型ＣＤ再生装置１００は、モータ２６０にて各ＣＤ１０Ａ，１０Ｂをディスク装着部２７０と一体的に回転させ、ピックアップ部２５０にて再生ＣＤ１０Ａに記録された音声データを読み取る。
【００５１】
このため、携帯型ＣＤ再生装置１００は、予備ＣＤ係止部材２７５および予備ＣＤ付勢部材２７６を新たに設けるだけで再生ＣＤ１０Ａおよび予備ＣＤ１０Ｂを装着できる。したがって、携帯型ＣＤ再生装置１００に、予備ＣＤ１０Ｂを装着するための専用の部材を新たに設けないので、携帯型ＣＤ再生装置１００の大型化を防ぐことができ、また、部品数の大幅な増加に伴う重力化を防ぐことができる。さらに、携帯型ＣＤ再生装置１００に、再生ＣＤ１０Ａおよび予備ＣＤ１０Ｂを積層させた状態で保持させるので、携帯型ＣＤ再生装置１００の垂直方向への大型化を防ぐことができる。よって、簡単な構成で複数のＣＤ１０を装着可能な携帯型ＣＤ再生装置１００を提供できる。
【００５２】
また、携帯型ＣＤ再生装置１００は、モータ２６０にて各ＣＤ１０Ａ，１０Ｂをディスク装着部２７０と一体的に回転させる。このため、携帯型ＣＤ再生装置１００を製造する際に、従来と同様の構成、すなわち、モータ２６０にて再生ＣＤ１０Ａをディスク装着部２７０と一体的に回転させる構成を有効利用して製造できる。したがって、携帯型ＣＤ再生装置１００を容易に製造でき、製造コストの増加を抑えることができる。
【００５３】
予備ＣＤ係止部材２７５は、予備ＣＤ１０Ｂを再生ＣＤ１０Ａに接触させた状態でディスクテーブル２７１の方向に付勢する。このため、予備ＣＤ１０Ｂおよび再生ＣＤ１０Ａを接触させない構成と比べて、各ＣＤ１０Ａ，１０Ｂを配設するためのＣＤ収納空間２０１Ｃの大きさを最小限に抑えることができる。したがって、携帯型ＣＤ再生装置１００の大型化をより防ぐことができる。また、予備ＣＤ１０Ｂは、非記録ホール周縁１１Ｂに接触する予備ＣＤ係止部材２７５、および、情報記録面１２のスタックリブ１２Ａに接触する再生ＣＤ１０Ａにて保持されている。このため、ディスクホルダ部２７２に、予備ＣＤ１０Ｂの情報記録面１２に接触する専用の部材を設ける必要がない。したがって、携帯型ＣＤ再生装置１００の構成を簡略化できる。
【００５４】
携帯型ＣＤ再生装置１００に、再生ＣＤ１０Ａに接離可能に設けられた再生ＣＤ係止部材２７３と、再生ＣＤ係止部材２７３を再生ＣＤ１０Ａに接触させる方向に付勢する再生ＣＤ付勢部材２７４と、を設けている。また、予備ＣＤ１０Ｂに接離可能に設けられた予備ＣＤ係止部材２７５と、予備ＣＤ係止部材２７５を予備ＣＤ１０Ｂに接触させる方向に付勢する予備ＣＤ付勢部材２７６と、を設けている。このため、各ＣＤ付勢部材２７４，２７６にて、各ＣＤ係止部材２７３，２７５を付勢して、各ＣＤ１０Ａ，１０Ｂに当接させるだけの簡単な構成で、各ＣＤ１０Ａ，１０Ｂを携帯型ＣＤ再生装置１００に装着できる。したがって、携帯型ＣＤ再生装置１００の構成を簡略化でき、製造性を向上させることができる。
【００５５】
携帯型ＣＤ再生装置１００は、モータ２６０にて各ＣＤ１０Ａ，１０Ｂをディスク装着部２７０と一体的に回転させ、ピックアップ部２５０にて再生ＣＤ１０Ａに記録された音声データを読み取る。このため、携帯型ＣＤ再生装置１００は、複数のＣＤ１０を装着した状態でも再生ＣＤ１０Ａに記録された音声データを読み取ることができる。したがって、複数のＣＤ１０を装着可能であり、かつ、再生ＣＤ１０Ａに記録された音声データを読取可能な汎用性が高い携帯型ＣＤ再生装置１００を提供できる。
【００５６】
また、携帯型ＣＤ再生装置１００は、ディスク装着部２７０に再生ＣＤ１０Ａのみが装着された状態でも再生ＣＤ１０Ａに記録された音声データを読み取ることができる。したがって、複数のＣＤ１０を装着した状態のみならず、１枚のＣＤ１０を装着した状態でも再生ＣＤ１０Ａに記録された音声データを読取可能なより汎用性が高い携帯型ＣＤ再生装置１００を提供できる。
【００５７】
各ＣＤ係止部材２７３，２７５および各ＣＤ付勢部材２７４，２７６として、容易に入手可能であり、かつ、一般的に安価な略球状の部材およびコイルばねを用いている。このため、製造コストの増加を抑えることができる。
【００５８】
また、各ＣＤ係止部材２７３，２７５として、鏡面加工された材料、あるいは、摩擦係数が小さい材料により形成された略球状の部材を用いている。すなわち、滑動性に優れた各ＣＤ係止部材２７３，２７５を用いている。このため、各ＣＤ係止部材２７３，２７５係止部材を、係止部材保持部２７２Ａ，２７２Ｂ内で滑らかに移動させることができる。したがって、携帯型ＣＤ再生装置１００への各ＣＤ１０Ａ，１０Ｂの装着作業や脱着作業をより容易にできる。
【００５９】
各ＣＤ係止部材２７３，２７５を、ディスクホルダ部２７２に平面視で６０°間隔で配設している。すなわち、再生ＣＤ係止部材２７３および予備ＣＤ係止部材２７５を、これらを結ぶ仮想線Ｌと、ディスクホルダ部２７２の軸Ｃ１と、が略平行とならない位置にそれぞれ配設している。このため、携帯型ＣＤ再生装置１００の大型化を抑えるために、予備ＣＤ係止部材２７５の頂点Ｑおよびディスクテーブル２７１との間隔ｊを、再生ＣＤ係止部材２７３の頂点Ｐおよびディスクテーブル２７１の間隔ｉに近づけたとしても、各ＣＤ係止部材２７３，２７５は互いに干渉することがない。したがって、携帯型ＣＤ再生装置１００の大型化をより抑えることができる。
【００６０】
ディスクホルダ部２７２に、各ＣＤ係止部材２７３，２７５、および、各ＣＤ付勢部材２７４，２７６を収納可能な係止部材保持部２７２Ａ，２７２Ｂを設けている。そして、各ＣＤ係止部材２７３，２７５は、係止部材保持部２７２Ａ，２７２Ｂにおける円周面側に配設され、各ＣＤ付勢部材２７４，２７６は、係止部材保持部２７２Ａ，２７２Ｂにおける軸Ｃ１側に配設されている。このため、各ＣＤ１０Ａ，１０Ｂの装着作業や脱着作業の際、利用者の手や各ＣＤ１０Ａ，１０Ｂは、各ＣＤ係止部材２７３，２７５のみに接触することとなり、各ＣＤ付勢部材２７４，２７６に接触することがない。したがって、各ＣＤ付勢部材２７４，２７６の異物との接触による破損を防ぐことができ、携帯型ＣＤ再生装置１００の寿命を延ばすことができる。
【００６１】
〔実施形態の変形〕
なお、本発明は、上述した一実施の形態に限定されるものではなく、本発明の目的を達成できる範囲で以下に示される変形をも含むものである。
【００６２】
例えば、携帯型ＣＤ再生装置１００のモータ２６０にて、各ＣＤ１０Ａ，１０Ｂをディスク装着部２７０と一体的に回転させる構成について例示したが、これに限らず例えば以下のような構成などとしてもよい。すなわち、ディスク装着部２７０に、再生ＣＤ１０Ａを保持するとともにモータ２６０にて回転される第１のディスク装着部と、予備ＣＤ１０Ｂを保持するとともにモータ２６０にて回転されない第２のディスク装着部と、を設けた構成などとしてもよい。このような構成にすれば、再生ＣＤ１０Ａに記録された音声データを読み取る際に、モータ２６０にて再生ＣＤ１０Ａを保持する第１のディスク装着部のみを回転させればいよいので、前記実施の形態のように再生ＣＤ１０Ａおよび予備ＣＤ１０Ｂを保持するディスク装着部２７０を回転させる構成と比べて、モータ２６０の負荷を減らすことができる。このため、前記実施の形態のモータ２６０と比べてトルクの小さいモータを用いることができ、部品コストの増加を抑えることができる。
【００６３】
また、予備ＣＤ係止部材２７５にて、予備ＣＤ１０Ｂを再生ＣＤ１０Ａに接触させた状態で付勢する構成について例示したが、これに限られず例えば以下のような構成などとしてもよい。すなわち、再生ＣＤ係止部材２７３を、前記実施の形態の配置位置よりもディスクテーブル２７１側に配置する。そして、再生ＣＤ１０Ａを再生ＣＤ係止部材２７３の下側面２７３Ａ２およびディスクテーブル２７１で保持し、予備ＣＤ１０Ｂを再生ＣＤ係止部材２７３の上側面２７３Ａ１および予備ＣＤ係止部材２７５の下側面２７５Ａ２で保持する構成などとしてもよい。このような構成にすれば、予備ＣＤ１０Ｂおよび再生ＣＤ１０Ａを接触させることなく、各ＣＤ１０Ａ、１０Ｂを携帯型ＣＤ再生装置１００に装着できる。したがって、予備ＣＤ１０Ｂのスタックリブ１２Ａが接触された際の再生ＣＤ１０Ａの傷つきを防止できる。
【００６４】
前記実施の形態において、ディスク保持部をディスクテーブル２７１、各ＣＤ係止部材２７３，２７５、および、各ＣＤ付勢部材２７４，２７６にて構成したが、これに限らず例えば以下のような構成などとしてもよい。すなわち、例えばディスク保持部としての板ばねの一端側を屈曲させて、この屈曲させた部分を板ばねの平面部から突出部として突出させる。そして、これらの板ばねを、その平面部とディスクホルダ部２７２の円周面とが所定間隔離れた状態で略平行となるように、かつ、突出部が各ＣＤ係止部材２７３，２７５と略同一の位置となるように配設する構成するなどとしてもよい。このような構成において、例えば再生ＣＤ１０Ａおよび予備ＣＤ１０Ｂが装着された場合、予備ＣＤ係止部材２７５と略同一の位置に配置された突出部が予備ＣＤ１０Ｂとの接触によりディスクホルダ部２７２の円周面側に移動され、板ばねの一端側がディスクホルダ部２７２側に曲げられる。そして、この曲げられた際の板ばねの反力により、突出部にて予備ＣＤ１０Ｂを再生ＣＤ１０Ａの方向に付勢することで、予備ＣＤ１０Ｂを携帯型ＣＤ再生装置１００に装着できる。このため、ディスク保持部を板ばねを屈曲させることにより構成するので、部品数を減らすことができ、携帯型ＣＤ再生装置１００の構成をより簡略化できる。また、ディスクホルダ部２７２に係止部材保持部２７２Ａ，２７２Ｂを形成する必要が無くなるので、携帯型ＣＤ再生装置１００の製造性をより向上させることができる。
【００６５】
また、前述したような板ばねを用いた構成において、例えば板ばねの一端側に、例えばプラスチックやゴムなどの材料により形成された突出部材を例えば接着剤などで固着する構成などとしてもよい。このような構成にすれば、ディスク保持部として一体的に形成された部材を用いることができる。このため、組立部材の数を減らすことができるので、携帯型ＣＤ再生装置１００の製造性をより向上させることができる。
【００６６】
さらに、例えば予備ＣＤ係止部材２７５を設けずに、再生ＣＤ係止部材２７３を例えば断面略コ字状の部材で形成し、この断面略コ字の開口部が予備ＣＤ１０Ｂのセンタホール１１の内周面と対向するように配設する。そして、再生ＣＤ係止部材２７３における断面略コ字の開口部に予備ＣＤ１０Ｂのセンタホール１１を嵌合させることにより予備ＣＤ１０Ｂを保持するとともに、再生ＣＤ係止部材２７３における断面略コ字の下端部にて再生ＣＤ１０Ａをディスクテーブル２７１に押し付ける構成などとしてもよい。このような構成にすれば、予備ＣＤ係止部材２７５を設けることなく各ＣＤ１０Ａ，１０Ｂを携帯型ＣＤ再生装置１００に装着できるので、前記実施の形態の構成と比べて部品数を減らすことができる。したがって、部品コストの増加をより抑えることができる。
【００６７】
ピックアップ部２５０に、ＣＤ１０に記録された音声データを読み取る機能を設けた構成について例示したが、これに限らずＣＤ１０に例えば音声データを記録する機能を設けた構成などとしてもよい。このような構成にすれば、複数のＣＤ１０を装着可能であり、かつ、ＣＤ１０に音声データを記録可能な汎用性が高い携帯型ＣＤ記録装置を提供できる。また、ピックアップ部２５０に、ＣＤ１０に記録された音声データを読み取る機能、および、ＣＤ１０に音声データを記録する機能を設ければ、複数のＣＤ１０を装着可能であり、かつ、ＣＤ１０に音声データを記録可能な汎用性が高い携帯型ＣＤ記録再生装置を提供できる。
【００６８】
携帯型ＣＤ再生装置１００に１つのピックアップ部２５０を設け、このピックアップ部２５０にて再生ＣＤ１０Ａに記録された音声データを読み取る構成について例示したが、例えば以下のような構成などとしてもよい。すなわち、例えば２つのピックアップ部２５０を例えば再生ＣＤ１０Ａおよび予備ＣＤ１０Ｂを挟んで対向するように設け、それぞれのピックアップ部２５０にて再生ＣＤ１０Ａおよび予備ＣＤ１０Ｂに記録された音声データをそれぞれ読み取る。そして、これら読み取った音声データを互いに異なる例えばスピーカなどの出力装置に出力させる構成などとしてもよい。このような構成にすれば、１つの装置にて、例えば２枚のＣＤ１０に記録された音声データを読み取り出力可能な汎用性が高い携帯型ＣＤ再生装置１００を提供できる。
【００６９】
各ＣＤ係止部材２７３，２７５を、これらを結ぶ仮想線Ｌとディスクホルダ部２７２の軸Ｃ１とが略平行とならない位置にそれぞれ配設した構成について例示したが、これに限らず仮想線Ｌと軸Ｃ１とが略平行となる位置に、すなわち、予備ＣＤ係止部材２７５を再生ＣＤ係止部材２７３のほぼ真上にそれぞれ配設する構成としてもよい。このような構成にすれば、例えばディスクホルダ部２７２を軸Ｃ１を中心に回転させて一方向から各ＣＤ係止部材２７３，２７５などを配設する製造装置を用いた際に、ディスクホルダ部２７２を停止させる位置の設定箇所の数を減らすことができる。具体的には、上述した実施の形態の構成においては、ディスクホルダ部２７２の停止位置を６０°間隔で６箇所設定する必要があるが、この変形の構成においては、停止位置を１２０°間隔で３箇所設定するだけでよい。このため、上述した実施の形態の構成と比べて製造装置の構成を簡略化でき、携帯型ＣＤ再生装置１００の製造コストの増加を抑えることができる。
【００７０】
予備ＣＤ係止部材２７５にて、１枚の予備ＣＤ１０Ｂを保持する構成について例示したが、例えば予備ＣＤ係止部材２７５を上述した実施の形態の配設位置よりも上側に配設し、複数の予備ＣＤ１０Ｂを保持する構成としてもよい。このような構成にすれば、例えば２枚の予備ＣＤ１０Ｂを保持する構成の場合、一番上に配設された予備ＣＤ１０Ｂは、予備ＣＤ係止部材２７５により、再生ＣＤ１０Ａおよび中間に配設された予備ＣＤ１０Ｂを介してディスクテーブル２７１に押し付けられる。また、中間に配設された予備ＣＤ１０Ｂは、一番上に配設された予備ＣＤ１０Ｂを介して予備ＣＤ係止部材２７５により、再生ＣＤ１０Ａを介してディスクテーブル２７１に押し付けられる。さらに、再生ＣＤ１０Ａは、２枚の予備ＣＤ１０Ｂを介して予備ＣＤ係止部材２７５により、ディスクテーブル２７１に押し付けられる。このため、携帯型ＣＤ再生装置１００は、例えば２枚の予備ＣＤ１０Ｂを装着できる。したがって、複数の予備ＣＤ１０Ｂを装着可能な汎用性が高い携帯型ＣＤ再生装置１００を提供できる。
【００７１】
また、ディスクホルダ部２７２における予備ＣＤ１０Ｂを積層する方向に、予備ＣＤ係止部材２７５を複数設けた構成としてもよい。このような構成によれば、上述した方向に設けた予備ＣＤ係止部材２７５の数と同数の予備ＣＤ１０Ｂを適宜装着できる。このため、複数の予備ＣＤ１０Ｂを適宜装着可能なより汎用性が高い携帯型ＣＤ再生装置１００を提供できる。
【００７２】
ディスク装置として携帯型ＣＤ再生装置１００を例示したが、これに限らずディスク装置を設置型のＣＤやＤＶＤなどの各記録ディスクの再生装置、記録再生装置、記録装置などとしてもよい。
【００７３】
〔実施形態の作用効果〕
上述したように、上記実施形態では、携帯型ＣＤ再生装置１００に、従来あるディスクテーブル２７１、再生ＣＤ係止部材２７３、再生ＣＤ付勢部材２７４、および、ディスクホルダ部２７２に加え、予備ＣＤ係止部材２７５および予備ＣＤ付勢部材２７６を設けている。そして、携帯型ＣＤ再生装置１００は、再生ＣＤ１０Ａを再生ＣＤ係止部材２７３およびディスクテーブル２７１にて保持する。また携帯型ＣＤ再生装置１００は、再生ＣＤ１０Ａに積層された状態に配設された予備ＣＤ１０Ｂを、再生ＣＤ１０Ａを介して予備ＣＤ係止部材２７５およびディスクテーブル２７１にて保持する。このため、携帯型ＣＤ再生装置１００は、予備ＣＤ係止部材２７５および予備ＣＤ付勢部材２７６を新たに設けるだけで再生ＣＤ１０Ａおよび予備ＣＤ１０Ｂを装着できる。したがって、携帯型ＣＤ再生装置１００に、予備ＣＤ１０Ｂを装着するための専用の部材を新たに設けないので、携帯型ＣＤ再生装置１００の大型化を防ぐことができ、また、部品数の大幅な増加に伴う重力化を防ぐことができる。さらに、携帯型ＣＤ再生装置１００に、再生ＣＤ１０Ａおよび予備ＣＤ１０Ｂを積層させた状態で保持させるので、携帯型ＣＤ再生装置１００の垂直方向への大型化を防ぐことができる。よって、簡単な構成で複数のＣＤ１０を装着可能な携帯型ＣＤ再生装置１００を提供できる。
【００７４】
携帯型ＣＤ再生装置１００は、再生ＣＤ１０Ａを、この再生ＣＤ１０Ａの情報記録面１２を支持するディスクテーブル２７１、および、再生ＣＤ１０Ａの非記録ホール周縁１１Ｂに当接するように設けられた再生ＣＤ係止部材２７３で保持する。また、携帯型ＣＤ再生装置１００は、再生ＣＤ１０Ａに接触した状態で積層された予備ＣＤ１０Ｂを、予備ＣＤ１０Ｂの非記録ホール周縁１１Ｂに当接するように設けられた予備ＣＤ係止部材２７５、および、再生ＣＤ１０Ａを介してディスクテーブル２７１で保持する。このため、携帯型ＣＤ再生装置１００は、予備ＣＤ係止部材２７５および予備ＣＤ付勢部材２７６を新たに設けるだけで再生ＣＤ１０Ａおよび予備ＣＤ１０Ｂを装着できる。したがって、上述したような作用効果を奏することができる。
【図面の簡単な説明】
【００７５】
【図１】本発明の一実施の形態に係るＣＤの概略構成を示す平面図である。
【図２】前記一実施の形態におけるＣＤの概略構成を示す断面図である。
【図３】前記一実施の形態における携帯型ＣＤ再生装置の概略構成を示す模式図である。
【図４】前記一実施の形態における駆動部収納室内の概略構成を示す模式図である。
【図５】前記一実施の形態におけるディスクホルダの概略構成を示す断面図である。
【図６】前記一実施の形態におけるディスクホルダの概略構成を示す平面透視図である。
【符号の説明】
【００７６】
１０    記録ディスクとしてのＣＤ
１０Ａ  一の記録ディスクとしての再生ＣＤ
１０Ｂ  他の記録ディスクとしての予備ＣＤ
１１    孔部としてのセンタホール
１００    ディスク装置としての携帯型ＣＤ再生装置
２５０    読取手段としてのピックアップ部
２６０    ディスク駆動部としてのモータ
２７１    ディスク保持部としても機能するディスクテーブル
２７２    ディスク挿通部としてのディスクホルダ部
２７３    ディスク保持部および当接部材としても機能する接触部材としての再生ＣＤ係止部材
２７４    ディスク保持部および当接部材としても機能する付勢部材としての再生ＣＤ付勢部材
２７５    ディスク保持部および当接部材としても機能する接触部材としての予備ＣＤ係止部材
２７６    ディスク保持部および当接部材としても機能する付勢部材としての再生ＣＤ付勢部材
Ｃ１  回転軸としての軸
Ｌ    仮想線
【図１】
2005149629.tif 000003
【図２】
2005149629.tif 000004
【図３】
2005149629.tif 000005
【図４】
2005149629.tif 000006
【図５】
2005149629.tif 000007
【図６】
2005149629.tif 000008